(57)【要約】【課題】  使用する用紙に応じた調整を簡易に行える画像形成装置を提供する。【解決手段】  実施形態によれば、画像形成装置は、スキャナとプリンタとメモリとディスプレイとプロセッサとを有する。スキャナは、画像を読取る。プリンタは、スキャナで読み取った画像を用紙にプリントする。メモリは、用紙のサイズを記憶する第１記憶領域を有し、第１記憶領域に記憶するサイズの第１の用紙を用いた画像調整によって調整された設定値を記憶する。ディスプレイは、メモリが記憶する設定値を再調整する場合、スキャナを用いて再調整用の用紙のサイズを取得するための操作ガイダンスを表示する。プロセッサは、ディスプレイに操作ガイダンスとして表示する操作に応じてスキャナが読取る画像から再調整用の用紙のサイズを取得する処理を実行し、再調整用の用紙のサイズと第１記憶領域に記憶するサイズとの差分に基づいてメモリが記憶する設定値を補正する。【選択図】図２
2020012887.tif 000002
【特許請求の範囲】
【請求項１】
画像を読取るスキャナと、
前記スキャナで読み取った画像を用紙にプリントするプリンタと、
用紙のサイズを記憶する第１記憶領域を有し、前記第１記憶領域に記憶するサイズの第１の用紙を用いた画像調整によって調整された設定値を記憶するメモリと、
前記メモリが記憶する前記設定値を再調整する場合、前記スキャナを用いて再調整用の用紙のサイズを取得するための操作ガイダンスを表示するディスプレイと、
前記ディスプレイに操作ガイダンスとして表示する操作に応じて前記スキャナが読取る画像から前記再調整用の用紙のサイズを取得する処理を実行し、前記再調整用の用紙のサイズと前記第１記憶領域に記憶するサイズとの差分に基づいて前記メモリが記憶する設定値を補正するプロセッサと、
を有する画像形成装置。
【請求項２】
前記ディスプレイは、前記スキャナに前記再調整用の用紙をセットする手順を示す操作ガイダンスを表示する、
請求項１に記載の画像形成装置。
【請求項３】
前記プロセッサは、前記設定値の補正を実行する場合に前記プリンタを用いて補正後の設定値による確認印刷を実行する、
請求項１又は２の何れか１項に記載の画像形成装置。
【請求項４】
さらに、ユーザが情報を入力するための操作デバイスを有し、
前記ディスプレイは、ユーザが指定する指定値によって印刷位置を調整することが指示された場合に、前記操作デバイスにおいて印刷位置を指定する調整値を入力するための調整画面を表示し、
前記プロセッサは、前記調整画面において入力された調整値に基づいて前記メモリが記憶する設定値を補正する、
請求項１乃至３の何れか１項に記載の画像形成装置。
【請求項５】
前記メモリは、前記再調整用の用紙のサイズを記憶する第２記憶領域を有し、
前記プロセッサは、前記スキャナが読取る画像から取得した前記再調整用の用紙のサイを前記第２記憶領域に記憶し、前記第２記憶領域に記憶する前記再調整用の用紙のサイズと前記第１記憶領域に記憶するサイズとの差分に基づいて前記メモリが記憶する前記設定値を補正する、
請求項１乃至４の何れか１項に記載の画像形成装置。
【発明の詳細な説明】
【技術分野】
【０００１】
本発明の実施形態は、画像形成装置に関する。
【背景技術】
【０００２】
従来、デジタル複合機などの画像形成装置は、所定の画像パターンを利用して画像位置調整を実行する。しかしながら、定型サイズの用紙であっても実際に使用する用紙の大きさが必ずしも一定ではないため、画像調整の再調整が必要となることがある。また、用紙の大きさは、同じ定型サイズであっても種類によって異なることがあるだけでなく、湿度などの影響を受けて変化することもある。このため、画像形成装置は、製造現場において実際に使用される用紙に合った画像調整を予め実施しておくことは難しい。従来の画像形成装置は、製造現場から出荷した後は、サービスマンが個別に使用状況等を確認しながら再調整を実施する必要がある。また、従来の画像形成装置は、サービスマンが熟練の高度なスキルを持っていなければ再調整を正確に実施するものが難しいという問題もある。
【先行技術文献】
【特許文献】
【０００３】
【特許文献１】特開２０１２−２３０２４０号公報
【発明の概要】
【発明が解決しようとする課題】
【０００４】
本発明は、上記した課題を解決するために、使用する用紙に応じた調整を簡易に行える画像形成装置を提供することを目的とする。
【課題を解決するための手段】
【０００５】
実施形態によれば、画像形成装置は、スキャナとプリンタとメモリとディスプレイとプロセッサとを有する。スキャナは、画像を読取る。プリンタは、スキャナで読み取った画像を用紙にプリントする。メモリは、用紙のサイズを記憶する第１記憶領域を有し、第１記憶領域に記憶するサイズの第１の用紙を用いた画像調整によって調整された設定値を記憶する。ディスプレイは、メモリが記憶する設定値を再調整する場合、スキャナを用いて再調整用の用紙のサイズを取得するための操作ガイダンスを表示する。プロセッサは、ディスプレイに操作ガイダンスとして表示する操作に応じてスキャナが読取る画像から再調整用の用紙のサイズを取得する処理を実行し、再調整用の用紙のサイズと第１記憶領域に記憶するサイズとの差分に基づいてメモリが記憶する設定値を補正する。
【図面の簡単な説明】
【０００６】
【図１】図１は、実施形態に係る画像形成装置としてのデジタル複合機の構成例を外観図である。
【図２】図２は、実施形態に係る画像形成装置としてのデジタル複合機の構成例を示す断面図である。
【図３】図３は、実施形態に係る画像形成装置としてのデジタル複合機における制御系の構成例を示すブロック図である。
【図４】図４は、実施形態に係る画像形成装置としてのデジタル複合機が使用可能となるまでの流れを説明するためのフローチャートである。
【図５】図５は、実施形態に係る画像形成装置としてのデジタル複合機が用紙に対して設定する印刷範囲を説明するための図である。
【図６】図６は、実施形態に係る画像形成装置としてのデジタル複合機による画像調整に用いられる第１の調整パターンの例である。
【図７】図７は、実施形態に係る画像形成装置としてのデジタル複合機による画像調整に用いられる第２の調整パターンの例である。
【図８】図８は、実施形態に係る画像形成装置としてのデジタル複合機における市場での画像調整としての設定値の補正処理を説明するためのフローチャートである。
【図９】図９は、実施形態に係る画像形成装置としてのデジタル複合機が画像調整に用いる第１の用紙と設定値の補正に用いる第２の用紙との例を示す図である。
【図１０】図１０は、実施形態に係る画像形成装置としてのデジタル複合機における画像調整の設定値の再調整処理を説明するためのフローチャートである。
【図１１】図１１は、実施形態に係る画像形成装置としてのデジタル複合機におけるディスプレイに表示する表示例を示す図である。
【図１２】図１２は、実施形態に係る画像形成装置としてのデジタル複合機におけるディスプレイに表示する表示例を示す図である。
【図１３】図１３は、実施形態に係る画像形成装置としてのデジタル複合機におけるディスプレイに表示する表示例を示す図である。
【図１４】図１４は、実施形態に係る画像形成装置としてのデジタル複合機におけるディスプレイに表示する表示例を示す図である。
【図１５】図１５は、実施形態に係る画像形成装置としてのデジタル複合機におけるディスプレイに表示する表示例を示す図である。
【図１６】図１６は、実施形態に係る画像形成装置としてのデジタル複合機におけるディスプレイに表示する表示例を示す図である。
【図１７】図１７は、実施形態に係る画像形成装置としてのデジタル複合機におけるディスプレイに表示する表示例を示す図である。
【図１８】図１８は、実施形態に係る画像形成装置としてのデジタル複合機におけるディスプレイに表示する表示例を示す図である。
【発明を実施するための形態】
【０００７】
以下、本実施形態について、図面を参照しながら説明する。  
まず、実施形態に係る画像形成装置としてのデジタル複合機（ＭＦＰ，Ｍｕｌｔｉ−Ｆｕｎｃｔｉｏｎａｌ  Ｐｅｒｉｐｈｅｒａｌ）１の構成について説明する。  
図１は、実施形態に係る画像形成装置としてのデジタル複合機１の外観構成例を示す斜視図である。また、図２は、デジタル複合機１における制御系の構成例を概略的に示す断面図である。
【０００８】
図１に示すように、デジタル複合機１は、スキャナ２、プリンタ３、操作パネル４を有する。  
スキャナ２は、デジタル複合機の本体上部に設置する。スキャナ２は、原稿の画像を光学的に読み取る装置である。スキャナ２は、スキャンする原稿を載置する原稿台ガラス１１を有する。スキャナ２は。原稿台ガラス１１のガラスを介して原稿台ガラス１１上の原稿をスキャンする画像読取機構を有する。
【０００９】
スキャナ２は、キャリッジ１２および光電変換部１３などを有する。キャリッジ１２および光電変換部１３などは、原稿台ガラス１１の下方に設置される。キャリッジ１２は、照明６２（図３参照）およびミラーなどの光学系を搭載する。照明６２は、発光する光が原稿台ガラス１１における読取位置を照明するようにキャリッジ１２に設置する。照明６２が光を照射する原稿台ガラス１１上の読取位置は、主走査方向における１ライン分（又は複数ライン分）の画像となる。キャリッジ１２に搭載されたミラー等の光学系は、照明６２が光を照射した読取位置からの光（反射光）を光電変換部１３へ導く。
【００１０】
また、キャリッジ１２は、ステッピングモータなどを含む移動機構６３（図３参照）により原稿台ガラス１１の下方を副走査方向に移動する。キャリッジ１２は、イニシャル動作において位置が確定され、確定した位置に基づいて副走査方向の移動が制御される。例えば、キャリッジ１２は、副走査方向に移動することによって原稿台ガラス１１上の原稿が載置される領域（原稿読取領域）における主走査方向のラインごとの画像を連続的に光電変換部１３へ導く。
【００１１】
光電変換部１３は、レンズ、光電変換センサ、および、カバーなどを有する。レンズは、キャリッジ１２の光学系によって導かれる光を集光し、光電変換センサへ導く。光電変換センサは、光電変換素子により構成する。光電変換センサは、たとえば、光電変換素子としてのＣＣＤ又はＣＩＳをライン状に並べたラインセンサである。光電変換センサとしてのラインセンサは、主走査方向の１ライン分の画像（原稿面の反射光）を、１ライン分の画素データに変換する。
【００１２】
キャリッジ１２は、露光ランプおよびミラーなどの光学系を搭載し、原稿台ガラス１１の下方を副走査方向に移動する。キャリッジ１２は、光電変換部１３へ導く原稿台ガラス１１上における読取位置を副走査方向に移動させる。つまり、スキャナ２は、キャリッジ１２の移動を制御することにより副走査方向における画像の読取りが調整される。スキャナ２は、キャリッジ１２を副走査方向に移動させながら光電変換部１３で主走査方向の画像データを取得することにより原稿全体の画像を読み取る。
【００１３】
スキャナ２は、自動原稿送り装置（ＡＤＦ：Ａｕｔｏ  Ｄｏｃｕｍｅｎｔ  Ｆｅｅｄｅｒ）１４を有する。ＡＤＦ１４は、原稿台カバーとしても機能し、開閉自在に設置される。ＡＤＦ１４を閉じた状態において、ＡＤＦ１４は、原稿台ガラス１１における原稿読取領域全体を覆う。また、ＡＤＦ１４は、給紙トレイおよび搬送系などを含む。ＡＤＦ１４の給紙トレイは、読取対象とする原稿を保持する。ＡＤＦ１４の搬送系は、給紙トレイにセットされた原稿を１枚ずつ取出し、取り出した原稿の読取面が所定の読取位置を通過するように原稿を搬送する。
【００１４】
プリンタ３は、給紙カセット２１Ａ、２１Ｂ、２１Ｃを有する。これらの給紙カセット２１Ａ、２１Ｂ、２１Ｃは、画像をプリントする被画像形成媒体としての用紙を収納する。たとえば、各給紙カセット２１Ａ、２１Ｂ、２１Ｃは、デジタル複合機本体の下部に着脱可能である。各給紙カセット２１Ａ、２１Ｂ、２１Ｃは、それぞれ給紙ローラ２２Ａ，２２Ｂ，２２Ｃを有する。各給紙ローラ２２Ａ，２２Ｂ，２２Ｃは、各給紙カセット２１Ａ、２１Ｂ、２１Ｃから用紙を一枚ずつ取り出す。
【００１５】
搬送系２３は、プリンタ３内で用紙を搬送する。搬送系２３は、複数の搬送ローラ２３ａ〜２３ｄおよびレジストローラ２４などを含む。搬送系２３は、各給紙ローラ２２Ａ，２２Ｂ，２２Ｃが取り出した用紙をレジストローラ２４へ用紙を搬送する。上記レジストローラ２４は、画像を転写するタイミングで用紙を転写位置へ搬送する。
【００１６】
複数の画像形成部２５（２５Ｙ、２５Ｍ、２５Ｃ、２５Ｋ）は、それぞれ各色（イエロー、マゼンタ、シアン、ブラック）の画像を形成する。露光装置２６は、各画像形成部２５（２５Ｙ、２５Ｍ、２５Ｃ、２５Ｋ）における各像担持体に各色で現像される画像としての静電潜像を形成する。露光装置２６は、画像データに応じて発光する光で像担持体上を走査することにより像担持体に静電潜像を形成する。例えば、露光装置２６は、発光部が発光する光を回転させるポリゴンミラーを介して像担持体としての感光体ドラムに照射することにより主走査方向に走査させる。また、露光装置２６からの光の照射位置は、感光体ドラムが回転することにより副走査方向に移動する。すなわち、画像形成部２５が形成する画像は、露光装置２６を制御することにより位置および倍率が調整される。
【００１７】
各画像形成部２５（２５Ｙ、２５Ｍ、２５Ｃ、２５Ｋ）は、それぞれ各色（イエロー、マゼンタ、シアン、ブラック）のトナーで各像担持体上の静電潜像を現像する。中間転写ベルト２７は、中間転写体である。各画像形成部２５は、それぞれの像担持体において各色のトナーで現像した各色のトナー像を中間転写ベルト２７上に転写する（１次転写する）。
【００１８】
中間転写ベルト２７は、転写されたトナー像を保持して２次転写位置へ送る。２次転写位置は、中間転写ベルト２７上のトナー像を用紙に転写する位置である。２次転写位置は、支持ローラ２８ａおよび２次転写ローラ２８ｂが対向する位置である。支持ローラ２８ａおよび２次転写ローラ２８ｂは転写部２８を構成する。レジストローラ２４は、中間転写ベルト２７上のトナー画像にタイミングを合わせて用紙を２次転写位置へ搬送する。転写部２８は、中間転写ベルト２７上に保持されているトナー画像を２次転写位置において用紙に転写する。
【００１９】
例えば、カラー画像を形成する場合、各画像形成部２５Ｙ、２５Ｍ、２５Ｃおよび２５Ｋは、各色（イエロー、マゼンタ、シアン、ブラック）のトナーで現像したトナー像を中間転写ベルト２７上に重ねて転写する。中間転写ベルト２７は、各色のトナー像が重なり合ったカラー画像を保持する。転写部２８は、中間転写ベルト２７上の複数色のトナーによるカラー画像を２次転写位置において用紙に転写する。レジストローラ２４は、中間転写ベルト２７上のトナー画像にタイミングを合わせて用紙を２次転写位置へ搬送する。これにより、用紙には、カラー画像が転写される。
【００２０】
転写部２８は、トナー像が転写された用紙を定着器２９へ供給する。定着器２９は、トナー像を用紙に定着する。定着器２９は、加熱部２９ａ、ヒートローラ２９ｂおよび加圧ローラ２９ｃを有する。加熱部２９aは、ヒートローラ２９ｂを加熱する。ヒートローラ２９ｂおよび加圧ローラ２９ｃは、転写部２８によってトナー像を転写した用紙を加圧状態で加熱する定着処理を行う。定着器２９におけるヒートローラ２９ｂおよび加圧ローラ２９ｃは、定着処理した用紙を搬送ローラ２３ｄへ送る。搬送ローラ２３ｄは、定着器２９からの用紙を排紙部３０へ搬送する。
【００２１】
操作パネル４は、ユーザインターフェースである。操作パネル４は、案内を表示したり、操作ボタンあるいはアイコンの入力を受け付けたりする。たとえば、ユーザは、操作パネル４において設定情報を入力する。操作パネル４は、表示部（ディスプレイ）４１、タッチパネル４２、および、複数の操作ボタン４３を有する。例えば、タッチパネル４２は、表示部４１の表示画面上に設ける。タッチパネル４２は、表示部４１の表示画面上においてユーザがタッチした部位を検知する。  
なお、本実施形態において、ユーザとは、市場でデジタル複合機１を操作する者であるものとし、一般のユーザ、管理者およびサービスマンなどを含むものとする。
【００２２】
次に、上記のように構成されるデジタル複合機における制御系の構成について説明する。  
図３は、デジタル複合機１における制御系の構成例を説明するブロック図である。  
デジタル複合機１は、装置全体を制御するシステム制御部５を有する。システム制御部５は、スキャナ２、プリンタ３、および、操作パネル４に接続する。図３に示す構成例において、システム制御部５は、プロセッサ５０、メモリ５１、画像メモリ５２、画像処理部５３、記憶装置５４、および、通信インターフェース（Ｉ／Ｆ）５５などを有する。
【００２３】
プロセッサ５０は、インターフェースを介して、スキャナ２のプロセッサ６０、プリンタ３のプロセッサ７０、および操作パネル４のプロセッサ８０に接続する。プロセッサ５０は、メモリ５１あるいは記憶装置５４に記憶したプログラムを実行することにより種々の処理機能を実現する。例えば、プロセッサ５０は、メモリ５１に記憶するプログラムを実行することによって、各部へ動作指示を出力したり、各部から種々の情報を処理したりする。
【００２４】
メモリ５１は、ＲＡＭ（ランダムアクセスメモリ）、ＲＯＭ（リードオンリーメモリ）、ＮＶＭなどのメモリを含む。ＲＡＭは、ワーキングメモリ或はバッファメモリとして機能する。ＲＯＭは、書換え不可な不揮発性メモリである。ＲＯＭは、プログラムメモリとして機能する。ＮＶＭは、書換え可能な不揮発性のメモリである。ＮＶＭは、設定データなどを記憶する。
【００２５】
本実施形態において、メモリ５１は、記憶領域（第１記憶領域）５１ａおよび記憶領域（第２記憶領域）５１ｂを有する。記憶領域５１ａおよび記憶領域５１ｂは、書換え可能な不揮発性のメモリであるものとする。記憶領域５１ａは、後述する保存している設定値を得た画像調整に用いられた用紙のサイズを示す情報を記憶する。記憶領域５１ｂは、画像調整の設定値を補正するための用紙情報を記憶する。記憶領域５１ａおよび記憶領域５１ｂが記憶する情報については後で詳細に説明する。
【００２６】
画像メモリ５２は、画像データを記憶する。例えば、画像メモリ５２は、処理の対象とする画像データを展開するためのページメモリとして機能する。画像処理部５３は、画像データを処理する。画像処理部５３は、例えば、入力した画像データに対して、補正、圧縮あるいは伸張などの画像処理を施した画像データを出力する。
【００２７】
記憶装置５４は、制御データ、制御プログラム、および、設定情報などのデータを記憶する。記憶装置５４は、書換え可能な不揮発性のメモリで構成する。例えば、記憶装置５４は、ＨＤＤ（ハードディスクドライブ）あるいはＳＳＤ（ソリッドステートドライブ）などの記憶装置で構成する。  
通信Ｉ／Ｆ５５は、外部装置とデータ通信を行うためのインターフェースである。たとえば、通信Ｉ／Ｆ５５は、用紙に印刷する画像をＰＣなどの外部装置から取得する画像取得部として機能する。また、通信Ｉ／Ｆ５５は、後述するサーバと通信するためのインターフェースとしても機能する。
【００２８】
次に、スキャナ２における制御系の構成例について説明する。  
図３に示すように、スキャナ２は、プロセッサ６０、メモリ６１、ＡＤＦ１４、照明６２、移動機構６３、および、光電変換部１３を有する。  
プロセッサ６０は、メモリ６１が記憶するプログラムを実行することにより各種の処理を実現する。例えば、プロセッサ６０は、プログラムを実行することによりスキャナ２内の各部の動作制御、および、各部の動作状況の監視などを行う。また、プロセッサ６０は、インターフェースを介して、システム制御部５のプロセッサ５０に接続される。プロセッサ６０は、システム制御部５からの動作指示に応じて、スキャン処理を実行する。
【００２９】
メモリ６１は、ＲＡＭ（ランダムアクセスメモリ）、ＲＯＭ（リードオンリーメモリ）、データメモリなどのメモリを含む。ＲＡＭは、ワーキングメモリ或はバッファメモリとして機能する。ＲＯＭは、書換え不可な不揮発性メモリである。ＲＯＭは、プログラムメモリとして機能する。データメモリは、書換え可能な不揮発性メモリである。  
ＡＤＦ１４は、制御系の構成として、ピックアップローラおよび搬送系を有する。プロセッサ６０は、ビックアップローラおよび搬送系を駆動させて原稿を１枚ずつ読取位置へ搬送する。
【００３０】
照明６２は、キャリッジ１２に搭載され、原稿台ガラス１１における読取位置に光を照射する。照明６２は、プロセッサ６０からの点灯指示に従って発光する光源を有する。光源は、特定の構成に限定されるものでは無い。照明６２が照射する光は、原稿台ガラス１１に載置された原稿からの反射光となってミラーおよびレンズなどの光学系を介して光電変換部へ入射する。
【００３１】
移動機構６３は、キャリッジ１２を移動させる機構である。移動機構６３は、駆動源としてのステッピングモータなどを有し、ステッピングモータの駆動によりキャリッジ１２を移動させる。移動機構６３は、プロセッサ６０又はシステム制御部５のプロセッサ５０からの動作指示に従ってキャリッジ１２を移動させる。例えば、プロセッサ６０は、原稿台ガラス１１上の原稿をスキャンする場合、キャリッジ１２を読取開始位置から副走査方向（ＦＷＤ方向）へ移動させる。
【００３２】
光電変換部１３は、入射光を電気信号に変換する光電変換素子からなる光電変換センサにより構成する。光電変換部１３は、例えば、主走査方向の読取ライン分の画素データを生成するラインセンサで構成する光電変換センサを有する。また、光電変換部１３は、キャリッジ１２に搭載された光学系によって導かれる光を光電変換センサへ入力するためのレンズなども有する。すなわち、光電変換部１３の光電変換センサは、キャリッジ１２が副走査方向に移動するのに応じて、主走査方向の読取ライン分の画素データを順次出力する。
【００３３】
次に、プリンタ３における制御系の構成例について説明する。  
図３に示すように、プリンタ３は、プロセッサ７０、メモリ７１、搬送系２３、画像形成部２５、露光装置２６、転写部２８、および、定着器２９などを有する。  
プロセッサ７０は、メモリ７１が記憶するプログラムを実行することにより各種の処理を実現する。例えば、プロセッサ７０は、プログラムを実行することによりプリンタ３内の各部の動作制御、および、各部の動作状況の監視などを行う。また、プロセッサ７０は、インターフェースを介して、システム制御部５のプロセッサ５０に接続される。プロセッサ７０は、システム制御部５からの動作指示に応じて、プリント処理などを実行する。
【００３４】
メモリ７１は、ＲＡＭ（ランダムアクセスメモリ）、ＲＯＭ（リードオンリーメモリ）、データメモリなどのメモリを含む。ＲＡＭは、ワーキングメモリ或はバッファメモリとして機能する。ＲＯＭは、書換え不可な不揮発性メモリである。ＲＯＭは、プログラムメモリとして機能する。データメモリは、書換え可能な不揮発性メモリである。  
搬送系２３は、プロセッサ７０の制御によってプリンタ３内において用紙を搬送させる。すなわち、搬送系２３は、プロセッサ７０からの動作指示に応じて各部の搬送ローラを駆動させることにより用紙を搬送させる。
【００３５】
露光装置２６は、プロセッサ７０からの動作指示に応じて、画像形成部２５の各感光体ドラムに静電潜像を形成するための光（レーザ光）を照射する。プロセッサ７０は、露光装置２６による感光体ドラムに対するレーザ光の照射位置を制御することで印字位置および倍率などを調整する。プロセッサ７０は、後述する印字基準を起点として印刷範囲に応じて動作制御によって所望の印刷範囲となるように画像調整を実行する。
【００３６】
画像形成部２５は、プロセッサ７０からの動作指示に応じて感光体ドラムに形成された静電潜像を各色のトナーで現像する。また、画像形成部２５は、感光体ドラム上に形成したトナーを中間転写ベルトへ転写（１次転写）する。
【００３７】
転写部２８は、プロセッサ７０からの動作指示に応じて中間転写ベルト２７に転写されたトナー像を用紙に転写（２次転写）する。定着器２９は、プロセッサ７０からの動作指示に応じてヒートローラ２９ｂおよび加圧ローラ２９ｃを駆動させる。また、定着器２９の加熱部２９ａは、プロセッサ７０による制御に従ってヒートローラ２９ｂの表面温度を所望の定着温度にする。定着器２９は、定着温度に制御されている状態において、用紙に転写されているトナー像を用紙に定着させる。
【００３８】
次に、操作パネル４における制御系の構成例について説明する。  
図３に示すように、操作パネル４は、プロセッサ８０、メモリ８１、表示部（ディスプレイ）４１、タッチパネル４２および操作ボタン４３などを有する。  
プロセッサ８０は、メモリ８１が記憶するプログラムを実行することにより各種の処理を実現する。例えば、プロセッサ８０は、プログラムを実行することにより操作パネル４の各部の動作制御、および、各部の動作状況の監視などを行う。また、プロセッサ８０は、インターフェースを介して、システム制御部５のプロセッサ５０に接続される。例えば、プロセッサ８０は、ユーザが入力した情報をシステム制御部５へ通知する。
【００３９】
メモリ８１は、ＲＡＭ（ランダムアクセスメモリ）、ＲＯＭ（リードオンリーメモリ）、データメモリなどのメモリを含む。ＲＡＭは、ワーキングメモリ或はバッファメモリとして機能する。ＲＯＭは、書換え不可な不揮発性メモリである。ＲＯＭは、プログラムメモリとして機能する。データメモリは、書換え可能な不揮発性メモリである。
【００４０】
表示部４１は、プロセッサ８０からの動作指示に応じて表示内容が制御される。タッチパネル４２は、表示部４１の表示画面上に設けられ、表示画面上におけるタッチされた位置を検知する。例えば、プロセッサ８０は、操作案内と共にタッチパネル４２で選択可能なアイコンを表示部４１の表示画面に表示する。プロセッサ８０は、タッチパネル４２が検知するタッチ位置に応じてユーザが入力する情報を判別する。操作ボタン４３は、スタートキー、リセットキーなどのハードキーなどにより構成する。
【００４１】
次に、デジタル複合機１が製造工場で画像調整された後に市場において使用可能な状態となるまでの流れについて概略的に説明する。  
図４は、デジタル複合機１が市場において使用可能となるまでの流れを説明するためのフローチャートである。  
デジタル複合機１は、製造工場において、図１乃至図３に示すハードウエア構成を有する画像形成装置として製造される。デジタル複合機１は、製造工場における作業工程（製造工程）において、各種の設定および調整が施される。以下、本実施形態においては、主として、デジタル複合機１に対する画像調整に関する処理および作業について説明するものとする。
【００４２】
製造工程において、デジタル複合機１は、スキャナ２の調整を実行する（ＡＣＴ１１）。スキャナ２の調整としては、原稿台ガラス１１上の読取画像データが基準（標準）状態となるように調整する。スキャナ２は、原稿台ガラス１１にセットされた高精度に作成された基準チャートをスキャンすることにより自身を調整する。基準チャートは、スキャナ２が読取可能な副走査方向および主走査方向における基準位置を示すパターンが形成されたものであれば良い。例えば、基準チャートは、湿度および温度（生活環境での温度範囲）の変化で大きさが変化しない部材で構成された媒体に誤差を所定値未満として基準位置を示すパターンを形成したものである。
【００４３】
スキャナ２のプロセッサ６０は、初期設定値で駆動することにより原稿台ガラス１１にセットされた基準チャートを読取る。プロセッサ６０は、初期設定値での基準チャートの読取画像に基づいて副走査方向および主走査方向におけるずれ量を解析する。例えば、プロセッサ６０は、基準チャートの読取画像から副走査方向におけるずれ量を検出する。プロセッサ６０は、検出した副走査方向におけるずれ量に基づいて移動機構６３を駆動制御するための設定値を調整する。これにより、プロセッサ６０は、副走査方向において基準チャートを基準のドット数で読み取るように移動機構６３による副走査方向への移動速度を調整する。また、スキャナ２のプロセッサ６０は、主走査方向におけるずれ量に基づいて読取り画像としての出力データに対する設定値を調整する。プロセッサ６０は、主走査方向において基準チャートを規定のドット数で読み取るように出力データを調整する。
【００４４】
スキャナ２を調整した後、システム制御部５のプロセッサ５０は、当該製造工場（製造工程）での画像調整に用いる用紙（第１の用紙）のサイズを読込む（ＡＣＴ１２）。例えば、プロセッサ５０は、スキャナ２を用いて画像調整に用いる用紙（白紙）をスキャンすることにより第１の用紙のサイズを読込む。また、プロセッサ５０は、オペレータが操作パネル４で入力するサイズを第１の用紙のサイズとして読込むようにしても良い。第１の用紙のサイズを読込むと、プロセッサ５０は、読込んだ第１の用紙のサイズをメモリ５１の記憶領域５１ａに記憶する（ＡＣＴ１３）。
【００４５】
第１の用紙（製造工程での画像調整に用いる用紙）のサイズを記憶すると、システム制御部５のプロセッサ５０は、第１の用紙を用いてスキャナ２による画像調整を実行する（ＡＣＴ１４）。画像形成装置における画像調整方法は、一般にはいくつかの種類がある。本実施形態に係るデジタル複合機１では、用紙のセンタと用紙に印刷する画像のセンタとが一致するように画像調整を行う。すなわち、デジタル複合機１は、用紙の中心に画像を印刷するように用紙の全周におけるボイドが均一となるような画像調整を実施する。
【００４６】
ここで、本実施形態に係るデジタル複合機１における画像調整について具体的に説明する。  
デジタル複合機１の画像調整において、プリンタ３は、画像調整用のパターン（調整パターン）を用紙に印刷する。スキャナ２は、調整パターンを印刷した用紙を読み取る。システム制御部５は、スキャナ２による調整パターンを印刷した用紙の読取画像に基づいて画像調整を実行する。システム制御部５のプロセッサ５０は、スキャナ２による調整パターンの読取画像に基づいて、用紙に画像を印刷するための設定値（画像調整の設定値）を特定する。プロセッサ５０は、スキャナ２の読取画像に基づいて特定した設定値（画像調整の設定値）をメモリ５１に保存する。本実施形態において、製造工程における画像調整では、画像調整の設定値として第１の用紙に対する画像の印刷範囲を調整するための設定値を特定するものとする。
【００４７】
図５は、デジタル複合機１が用紙に対して設定する印刷範囲ＰＡを説明するための図である。  
デジタル複合機１は、画像調整において、用紙の搬送タイミングおよび用紙の大きさなどに応じて印刷基準Ｒｐを起点する印刷範囲ＰＡを設定する。印刷範囲ＰＡは、用紙Ｐにおいて当該用紙の端部から一定の距離Ｖoの範囲が余白となるように設定する。印刷基準Ｒｐは、用紙Ｐの搬送方向における印刷範囲ＰＡの先端Ｔｏｐと左端Ｌｅｆｔとにより設定される。システム制御部５は、用紙Ｐの搬送方向に対して、用紙Ｐの先端から距離Ｖｏの位置を印刷範囲ＰＡの先端Ｔｏｐとし、用紙Ｐの左端から距離Ｖｏとなる位置を印刷範囲ＰＡの左端Ｌｅｆｔとする。露光装置２６は、印刷画像の書込みを開始する位置が印刷基準Ｒｐとなるように用紙Ｐの搬送タイミングに応じて画像形成部２５の感光体ドラムに対する露光が制御される。
【００４８】
また、印刷範囲ＰＡは、印刷基準Ｒｐを示す先端Ｔｏｐと左端Ｌｅｆｔとに加え、搬送方向における右端Ｒｉｇｈｔと後端Ｂｏｔｔｏｍとで設定される。印刷範囲ＰＡの右端Ｒｉｇｈｔは、印刷基準Ｒｐからの主走査方向における倍率（搬送方向に対する垂直方向における倍率）で調整される。また、印刷範囲ＰＡの後端Ｂｏｔｔｏｍは、印刷基準Ｒｐからの副走査方向における倍率（用紙の搬送方向における倍率）で調整される。
【００４９】
図６は、画像調整に用いられる第１の調整パターンの例である。また、図７は、画像調整に用いられる第２の調整パターンの例である。  
本実施形態の画像調整において、プリンタ３は調整パターンを用紙（第１の用紙）に印刷する。スキャナ２はプリンタ３が調整パターンを印刷した用紙の画像を読取る。システム制御部５は、スキャナ２の読取画像から用紙における実際の印刷範囲を特定し、特定する印刷範囲に基づいて画像調整の設定値を判定する。
【００５０】
調整パターンの読取画像から印刷範囲を特定するため、システム制御部５は、用紙の全周において用紙の端部から印刷範囲までの距離（余白量）を判定する。図５に示す例では、用紙Ｐにおける印刷範囲ＰＡは、先端Ｔｏｐ、左端Ｌｅｆｔ、右端Ｒｉｇｈｔ、後端Ｂｏｔｔｏｍの各位置で特定される。従って、プロセッサ５０は、調整パターンの読取画像において、用紙Ｐの先端から印刷範囲ＰＡの先端Ｔｏｐまでの距離、用紙Ｐの左端から印刷範囲ＰＡの左端Ｌｅｆｔまでの距離、用紙Ｐの右端から印刷範囲ＰＡの右端Ｒｉｇｈｔまでの距離、用紙Ｐの後端から印刷範囲ＰＡの後端Ｂｏｔｔｏｍまでの距離をそれぞれ測定する。
【００５１】
例えば、図６に示す第１の調整パターンは、印刷領域において所定間隔で主走査方向と副走査方向（搬送方向）とに直線（ライン）を並べて構成した格子状のパターンである。第１の調整パターンを印刷した用紙では、用紙の端部から所定の本数目のラインとの距離を測定すれば、用紙の端部から印刷範囲までの距離が特定できる。プロセッサ５０は、スキャナ２の読取画像において用紙の端部から所定の本数目のラインまでの距離を測定する。例えば、プロセッサ５０は、第１の調整パターンの読取画像において用紙の端部から用紙の端部に最も近いラインまでの距離を測定する。このような測定結果に基づいて、プロセッサ５０は、用紙端部から印刷範囲までの距離を判定する。
【００５２】
また、図７に示す第２の調整パターンは、印刷領域を示す矩形のラインと搬送方向を示すマークとを有するパターンである。第２の調整パターンを印刷した用紙では、用紙の端部から印刷範囲を示すラインまでの距離を測定すれば、用紙の端部から印刷範囲までの距離が特定できる。
【００５３】
スキャナ２による画像調整が完了すると、システム制御部５のプロセッサ５０は、市場で使用される用紙（第２の用紙）に関する用紙情報をメモリ５１の記憶領域５１ｂに記憶する（ＡＣＴ１６）。本実施形態において、記憶領域５１ｂは、市場での初期セットアップ処理において参照される用紙情報を格納するメモリ領域である。また、記憶領域５１ｂに記憶する用紙情報は、市場で使用される用紙（第２の用紙）のサイズを示す情報を含むものとする。
【００５４】
また、記憶領域５１ｂに記憶する用紙情報は、製造工程での画像調整に用いた第１の用紙に対する第２の用紙の差分（ずれ量）を示す情報であっても良い。また、用紙情報は、自己診断コードに対応づけて記憶するようにしても良い。用紙情報は、デジタル複合機１の出荷ごとに出荷先の地域に応じて個別に設定しても良い。記憶領域５１ｂには、複数の地域ごとの複数種類の用紙情報を記憶しておき、市場で指定される地域に応じた用紙情報を参照できるようにしても良い。  
なお、第２の用紙に関する用紙情報は、当該デジタル複合機１が出荷後に市場で用紙情報による補正を実行する前にメモリ５１の記憶領域５１ｂに記憶されていれば良い。このため、ＡＣＴ１６の処理は、ＡＣＴ１７の前であればいつ実行しても良い。
【００５５】
画像調整および市場での用紙情報の設定が完了すると、当該デジタル複合機１は、市場へ出荷するための梱包が施される。梱包が完了したデジタル複合機１は、市場における各出荷先（客先）へ搬送される。出荷先に到着すると、デジタル複合機１は、出荷先において開梱される。開梱されたデジタル複合機１は、ユーザが希望する場所に設置され、電源に接続される。
【００５６】
出荷先に設置されたデジタル複合機１のシステム制御部５は、まず、初期セットアップ処理が実行される。例えば、システム制御部５のプロセッサ５０は、初期セットアップ処理として、現像剤の調整、画像濃度の調整、各部のエラーチェックなどを含む一連の処理を実行する。本実施形態において、プロセッサ５０は、初期セットアップ処理において、市場での画像調整として第２記憶領域に記憶した用紙情報による補正処理を実行する（ＡＣＴ１７）。なお、市場での画像調整（補正処理）については、後で詳細に説明するものとする。
【００５７】
市場での画像調整は、市場で使用する用紙に応じて製造工程での画像調整で設定された設定値を補正（調整）する処理である。初期セットアップ処理において市場での画像調整を実施することで、デジタル複合機は、製造現場での調整結果をユーザが使用する直前に使用環境に合わせた設定に変更できる。例えば、製造現場の温湿度環境がユーザの使用環境と著しく異なる場合に生じる用紙サイズの変化に対する微調整を容易に実施することがきる。
【００５８】
市場での画像調整を含む初期セットアップ処理が終了すると、プロセッサ５０は、当該デジタル複合機１を使用可能な状態とする（ＡＣＴ１８）。これにより、デジタル複合機１は、市場で使用する用紙を想定して記憶領域５１ｂに記憶した用紙情報に基づいて補正された設定値による印刷が可能となる。
【００５９】
なお、市場での画像調整（用紙情報による補正処理）は、当該デジタル複合機１を出荷する直前に実施しても良い。この場合、出荷先で使用される用紙に関する情報を用紙情報として第２記憶領域５１ｂに記憶し、出荷前に市場での画像調整（用紙情報による補正処理）を実行すれば良い。
【００６０】
初期セットアップ処理が完了して使用可能な状態となった後、デジタル複合機１は、ユーザの指示に応じて画像調整の設定値に対する再調整を行う機能を有する。すなわち、プロセッサ５０は、操作パネル４への操作によって再調整の要求を受付ける。例えば、ユーザは、操作パネル４において調整モードの一つとしての画像調整の設定値に対する再調整を指示する。
【００６１】
操作パネル４において画像調整の設定値に対する再調整が指示されると（ＡＣＴ１９、ＹＥＳ）、プロセッサ５０は、現在の設定値を補正（調整）する再調整処理を実行する（ＡＣＴ２０）。再調整処理では、市場においてオペレータ（ユーザ）が指定する再調整用の用紙のサイズを取得し、取得した用紙のサイズに基づいて設定値と補正する。市場におけるオペレータの操作に応じた再調整処理については、後で詳細に説明するものとする。
【００６２】
次に、デジタル複合機１における市場での画像調整としての用紙情報による補正処理について説明する。  
図８は、デジタル複合機１における市場での画像調整としての用紙情報による補正処理を説明するためのフローチャートである。  
上述したように、デジタル複合機１は、初期セットアップ処理において、市場で使用される用紙（第２の用紙）に関する用紙情報によって画像調整の設定値を補正する補正処理を実施する。すなわち、デジタル複合機１は、製造工程での画像調整による設定値を市場で調整する必要がある場合、市場での画像調整（補正処理）のための用紙情報を第２記憶領域５１ｂに記憶しておく。
【００６３】
第２記憶領域５１ｂに記憶する用紙情報は、市場での使用が想定される用紙（第２の用紙）に関する情報である。例えば、第２記憶領域５１ｂに記憶する用紙情報は、市場で使用される用紙（第２の用紙）のサイズを示す情報を含む。また、第２記憶領域５１ｂに記憶する用紙情報は、製造工程での画像調整に用いた用紙（第１の用紙）と第２の用紙との差分（ずれ量）を示す情報であっても良い。
【００６４】
システム制御部５のプロセッサ５０は、初期セットアップ処理において、第２記憶領域５１ｂに記憶する用紙情報に基づく補正処理を実行するか否かを判断する（ＡＣＴ３１）。例えば、第１記憶領域５１ａに記憶する第１の用紙のサイズと第２記憶領域５１ｂに記憶する用紙情報が示す用紙のサイズとが同一である場合、プロセッサ５０は、現在の画像調整の設定値に対する補正（調整）が不要であると判断する（ＡＣＴ３１、ＮＯ）。
【００６５】
補正処理を実行すると判断した場合（ＡＣＴ３１、ＹＥＳ）、プロセッサ５０は、画像調整の設定値を補正するための用紙情報を第２記憶領域５１ｂから読込む（ＡＣＴ３２）。第２記憶領域から用紙情報を読込むと、プロセッサ５０は、現在の画像調整の設定値に対応する用紙サイズ（第１の用紙の用紙サイズ）を第１記憶領域５１ａから読込む（ＡＣＴ３３）。
【００６６】
プロセッサ５０は、現設定の用紙サイズと補正処理に用いる用紙情報から得られる用紙サイズとの差分（ずれ量）を取得する（ＡＣＴ３４）。たとえば、プロセッサ５０は、現設定の用紙サイズと補正処理に用いる用紙情報から得られる用紙サイズとの差を算出することにより差分を取得する。ただし、用紙情報としては、現設定の用紙（第１の用紙）のサイズと補正に用いる用紙（第２の用紙）のサイズとの差分（ずれ量）を示す情報であっても良い。この場合、プロセッサ５０は、用紙情報からサイズの差分としてのずれ量を取得する。
【００６７】
差分を取得すると、プロセッサ５０は、サイズの差分に応じて現在の画像調整の設定値を補正する（ＡＣＴ３５）。用紙情報に基づく補正（市場での画像調整）は、現在の設定値をサイズの差分に応じて補正すれば良い。製造工程では、専門の作業員による正確な画像調整が期待できる。このため、製造工程での画像調整の設定値を用紙のサイズの差分に応じて補正すれば、補正後の設定値は、用紙のサイズに応じた正確な設定値であることが期待できる。
【００６８】
図９は、製造工程での画像調整に用いる用紙（第１の用紙）Ｐ１と市場で使用される用紙（第２の用紙）Ｐ２との具体例を示す図である。  
図９に示す例では、第１の用紙Ｐ１のサイズは、用紙の搬送方向に対して、長さ（Ａ）が４２２ｍｍで、幅（Ｂ）が２９８ｍｍである。また、第２の用紙Ｐ２のサイズは、用紙の搬送方向に対して、長さ（Ｅ）が４２０ｍｍで、幅（Ｆ）が２９７ｍｍである。
【００６９】
図５に示すような４つの位置の情報で印刷範囲が設定される場合、プロセッサ５０は、市場での画像調整（微調整）において、以下のように画像調整の設定値を補正する。  
まず、先端Ｔｏｐの位置は、用紙が先端を基準に搬送制御されるものであれば、用紙のサイズにかかわらず変更されないものとする。このため、先端Ｔｏｐの位置は、用紙のサイズが変わっても、市場での画像調整では補正不要となる。
【００７０】
左端Ｌｅｆｔの位置は、用紙の幅方向におけるサイズの差分に応じて調整する。これにより、露光装置２６による画像の書き出し位置が調整される。図９に示す例であれば、用紙の幅方向におけるサイズの差分は、２９８ｍｍ（Ｂ）−２９７ｍｍ（Ｆ）＝１．０ｍｍとなる。本デジタル複合機１では、用紙のセンタを基準として調整を行うため、左端Ｌｅｆｔの位置は、サイズの差分に対して半分の距離分を移動させる。従って、図９に示す例では、左端Ｌｅｆｔの位置は、｛２９８ｍｍ（Ｂ）−２９７ｍｍ（Ｆ）｝／２＝０．５ｍｍだけずらすように補正する。
【００７１】
右端Ｒｉｇｈｔの位置は、用紙の幅方向におけるサイズの差分に応じて調整する。右端Ｒｉｇｈｔの位置は、露光装置２６が画像形成部２５の感光体ドラム（像担持体）上に形成する画像の主走査方向の倍率で調整される。図９に示す例では、用紙の幅方向における差分は１．０ｍｍであるから、右端Ｒｉｇｈｔの位置も、サイズの差分に対して半分の距離分を移動させる。従って、図９に示す例では、右端Ｒｉｇｈｔの位置は、０．５ｍｍだけ小さくなるように主走査方向の倍率を補正する。
【００７２】
後端Ｂｏｔｔｏｍの位置は、用紙の長さ方向におけるサイズの差分に応じて調整する。後端Ｂｏｔｔｏｍの位置は、露光装置２６が画像形成部２５の感光体ドラム（像担持体）上に形成する画像の副走査方向の倍率で調整される。図９に示す例では、用紙の長さ方向におけるサイズの差分は、４２２ｍｍ（Ａ）−４２０ｍｍ（Ｅ）＝２．０ｍｍとなる。上記のように先端Ｔｏｐの位置は変更されないため、後端Ｂｏｔｔｏｍの位置は、長さ方向におけるサイズの差分を移動させる。従って、図９に示す例では、後端Ｂｏｔｔｏｍの位置は、｛４２２ｍｍ（Ａ）−４２０ｍｍ（Ｅ）｝＝２．０ｍｍだけ小さくなるように副走査方向の倍率を補正する。
【００７３】
第２記憶領域５１ｂに記憶した用紙情報に基づいて画像調整の設定値を補正した後、プロセッサ５０は、第１記憶領域５１ａに記憶する用紙のサイズを第２の用紙のサイズ（用紙情報に基づく用紙サイズ）に更新する（ＡＣＴ３６）。つまり、プロセッサ５０は、画像調整の設定値を補正した場合、補正処理に用いた用紙のサイズを第１記憶領域５１ａに上書きする保存する。これにより、第１記憶領域５１ａには、現在の設定値に対応する用紙のサイズが記憶される。
【００７４】
次に、デジタル複合機１における市場のオペレータによる画像調整の設定値に対する再調整処理について説明する。  
図１０は、デジタル複合機１における画像調整の設定値に対する再調整処理を説明するためのフローチャートである。また、図１１〜１８は、デジタル複合機１における操作パネル４のディスプレイ４１に表示する表示例を示す図である。  
デジタル複合機１は、初期セットアップ処理において、出荷前に第２記憶領域５１ｂに記憶されている用紙情報に基づいて画像調整の設定値が補正される。ただし、出荷前に第２記憶領域５１ｂに記憶した用紙情報が実際に当該デジタル複合機１を使用する用紙にマッチしない場合も有りうる。このような場合、実施形態に係るデジタル複合機１では、におけるオペレータ（ユーザ）の操作によって画像調整の設定値を再度調整する機能を有する。
【００７５】
再調整を実行したい場合、オペレータは、操作パネル４を用いて再調整処理を指示する。再調整処理が指示されると、システム制御部５のプロセッサ５０は、再調整処理に伴うユーザによる操作（作業）を案内する操作ガイダンスをディスプレイ４１に表示する。本実施形態においては、再調整に用いる用紙（再調整用の用紙）のサイズが、スキャナ２の読取画像から取得するものとして説明する。ただし、再調整用の用紙のサイズは、操作パネル４において直接的にオペレータが入力するようにしても良い。
【００７６】
再調整が指示されると、プロセッサ５０は、再調整用の用紙をスキャナ２にセットしてスキャンを開始するまでの操作を示す操作ガイダンス（案内）をディスプレイ４１に表示する（ＡＣＴ４１）。例えば、プロセッサ５０は、用紙を原稿台ガラス１１にセットしてスキャン開始を指示までの各操作を案内する複数の操作ガイダンスを順番にディスプレイ４１に表示する。この場合、プロセッサ５０は、まず、再調整用の用紙をスキャナ２の原稿台ガラス１１にセットする作業を案内する操作ガイダンスをディスプレイ４１に表示する。
【００７７】
図１１は、再調整用の用紙をスキャナ２にセットする作業を案内する操作ガイダンスの表示例である。図１１に示す表示例では、原稿台ガラス１１に白紙の状態である再調整用の用紙を置く旨の案内１１１と用紙を原稿台ガラス１１に置いた状態を示すイラスト１１２とが表示される。例えば、プロセッサ５０は、再調整処理が指示されると、図１１に示す操作ガイダンスをディスプレイ４１に表示する。
【００７８】
図１２は、原稿台ガラス１１における再調整用の用紙のセット位置を案内する操作ガイダンスの表示例である。図１２に示す表示例では、原稿台ガラス１１上の所定位置に白紙（用紙）を確実に置く旨の案内１２１と用紙を原稿台ガラス１１の所定位置に置いた状態を示すイラスト１２２とが表示される。例えば、デジタル複合機１は、原稿台ガラス１１上における原稿の有無を検知する原稿検知センサを有する。原稿検知センサを有する場合、プロセッサ５０は、原稿台ガラス１１上の原稿を検知した際に図１２に示す操作ガイダンスをディスプレイ４１に表示するようにしても良い。
【００７９】
図１３は、原稿台ガラス１１上にある原稿カバーとしてのＡＤＦ１４を閉じてスキャンを開始する操作を案内する操作ガイダンスの表示例である。図１３に示す表示例では、カバーとしてのＡＤＦ１４を閉じてスタートボタン（操作ボタン４３）を指示する旨の案内１３１とＡＤＦ１４を閉じる作業をイメージさせるイラスト１３２とが表示される。プロセッサ５０は、原稿台ガラス１１上の所定位置に用紙をセットする旨の案内を表示した後に図１３に示す操作ガイダンスをディスプレイ４１に表示する。例えば、プロセッサ５０は、図１２に示す操作ガイダンスを表示してから所定時間後に図１３に示す操作ガイダンスをディスプレイ４１に表示するようにしても良い。
【００８０】
スキャン開始が指示するスタートボタンが入力されると（ＡＣＴ４２、ＹＥＳ）、プロセッサ５０は、スキャナ２に対して原稿台ガラス１１上のスキャンを指示する（ＡＣＴ４３）。スキャナ２は、プロセッサ５０からの指示に応じて原稿台ガラス１１上をスキャンする。この場合、プロセッサ５０は、原稿台ガラス１１にセットされる白紙を検出しやすいスキャン設定で画像を読取るようにしても良い。スキャナ２は、スキャンした画像をシステム制御部５へ供給する。
【００８１】
システム制御部５のプロセッサ５０は、スキャナ２からスキャン画像を取得すると、取得したスキャン画像から再調整用の用紙のサイズを判定する処理を実行する（ＡＣＴ４４）。例えば、プロセッサ５０は、スキャン画像において原稿台ガラス１１にセットされた白紙（再調整用の用紙）の端部を検出することにより再調整用の用紙のサイズを検出する。また、プロセッサ５０は、スキャン画像から用紙のサイズを判定する処理を実行中、用紙のサイズを判定中である旨の案内をディスプレイ４１に表示するようにしても良い。
【００８２】
用紙のサイズを判定すると、プロセッサ５０は、判定した用紙のサイズと補正の要否をオペレータに確認するための案内画面をディスプレイ４１に表示する（ＡＣＴ４５）。プロセッサ５０は、補正の要否を確認するための案内画面を表示した後、オペレータの指示に従って再調整用の用紙のサイズによる補正を実行するか否かを判断する。補正の要否を確認する案内画面がディスプレイ４１に表示された後、オペレータは、操作パネル４において補正を実行するか否かを指示する。
【００８３】
図１４は、再調整用の用紙のサイズによる補正の要否を確認するための案内画面の表示例を示す図である。  
図１４に示す表示例において、ディスプレイ４１は、メッセージ１４１、「補正実行」アイコン１４２および「キャンセル」アイコン１４３を表示する。メッセージ１４１は、判定した用紙のサイズ、現在の設定値（現設定）のサイズ、ずれ量（差分）、および、補正の要否を確認する旨のメッセージなどを含む。例えば、プロセッサ５０は、現設定のサイズを第１記憶領域から読込んで表示し、判定した用紙のサイズと現設定のサイズとの差分をずれ量として表示する。
【００８４】
図１４に示す表示例において、ディスプレイ４１は、タッチパネル４２で選択可能なボタンとして、「補正実行」アイコン１４２および「キャンセル」アイコン１４３を表示する。「補正実行」アイコン１４２は、補正の実行を指示するボタンである。「キャンセル」アイコン１４３は、補正を実行しないこと（キャンセル）を指示するボタンである。図１４に示す表示画面において、オペレータは、「補正実行」アイコンを指示することで再調整用の用紙のサイズに応じた補正の実行を指示できる。また、図１４に示す表示画面において、オペレータは、「キャンセル」アイコンを指示することで用紙のサイズによる補正を中止できる。
【００８５】
さらに、補正の要否を確認するための案内画面では、スキャンした再調整用の用紙のサイズによる補正の推奨または非推奨を案内しても良い。図１４に示す例では、メッセージ１４１において、ずれ量にとともに補正を推奨する旨の案内が表示されている。例えば、プロセッサ５０は、判定した用紙のサイズと現在の設定値のサイズとの差分（ずれ量）が所定閾値以上か否かにより補正を推奨するか否かを判定する。この場合、プロセッサ５０は、ずれ量が所定閾値以上であれば補正を推奨する旨のメッセージをディスプレイ４１に表示する。また、プロセッサ５０は、ずれ量が所定閾値未満であれば補正を推奨しない旨のメッセージをディスプレイに表示する。
【００８６】
なお、ずれ量としては、主走査方向における差分（主走査方向のずれ量）と副走査方向における差分（副走査方向のずれ量）とが得られる。このため、プロセッサ５０は、主走査方向のずれ量あるいは副走査方向のずれ量の何れかが所定閾値未満である場合に、補正を推奨するようにしても良い。また、プロセッサ５０は、主走査方向のずれ量および副走査方向のずれ量の両方がそれぞれ所定閾値未満である場合に、補正を推奨するようにしても良い。さらには、プロセッサ５０は、主走査方向のずれ量と副走査方向のずれ量との和が所定閾値未満である場合に補正を推奨するようにしても良い。
【００８７】
スキャンした用紙のサイズで補正を実行すると判断した場合（ＡＣＴ４６、ＹＥＳ）、プロセッサ５０は、判定した用紙のサイズを示す情報を用紙情報として第２記憶領域に記憶する（ＡＣＴ４７）。プロセッサ５０は、第２記憶領域にスキャン画像から検出した用紙のサイズを示す情報を上書きすることにより第２記憶領域に記憶する用紙情報を更新する。第２記憶領域に記憶する用紙情報を更新すると、プロセッサ５０は、更新した用紙情報に基づいて現在の画像調整の設定値を補正する処理を行う。
【００８８】
第２記憶領域に記憶する用紙情報を更新すると、プロセッサ５０は、第１記憶領域に記憶する現設定の用紙サイズを読込む（ＡＣＴ４８）。第１記憶領域に記憶する現設定の用紙サイズを読込むと、プロセッサ５０は、現設定の用紙サイズと更新した用紙情報から得られる用紙サイズとの差分（ずれ量）を算出する（ＡＣＴ４９）。
【００８９】
用紙サイズの差分を判定すると、プロセッサ５０は、用紙サイズの差分に応じて現在の画像調整の設定値を補正する（ＡＣＴ５０）。用紙情報に基づく補正（市場での画像調整）は、上述したＡＣＴ３５と同様な処理で実現して良い。画像調整の設定値を補正した後、プロセッサ５０は、第１記憶領域５１ａに記憶する用紙のサイズを第２記憶領域に記憶した用紙のサイズ（再調整用の用紙のサイズ）に更新する（ＡＣＴ５１）。
【００９０】
取得した用紙のサイズによる設定値の補正が終了すると、プロセッサ５０は、補正後の設定値での印刷状態を確認するための確認印刷の要否を確認する。プロセッサ５０は、確認印刷の要否をオペレータに確認するための案内画面をディスプレイ４１に表示する（ＡＣＴ５２）。
【００９１】
図１５は、再調整用の用紙に応じて設定値を補正した後に確認印刷の要否を確認するための案内画面の表示例を示す図である。  
図１５に示す例では、ディスプレイ４１は、メッセージ１５１、「確認印刷」アイコン１５２および「終了」アイコン１５３を表示する。メッセージ１５１は、スキャンした用紙のサイズによる設定値の補正を実行した旨の案内と確認印刷の要否をオペレータに選択させるための案内と含む。
【００９２】
図１５に示す表示例では、ディスプレイ４１は、タッチパネル４２で選択可能なボタンとして、「確認印刷」アイコン１５２および「終了」アイコン１５３を表示する。図１５に示す表示画面において、オペレータは、確認印刷の実行を指示する「確認印刷」アイコン１５２を指示することで、補正後の設定値を用いた確認印刷の実行を指示できる。また、図１５に示す表示画面において、オペレータは、終了を指示する「終了」アイコン１５３を指示することで一連の再調整処理の終了を指示できる。
【００９３】
操作パネル４において確認印刷の不要（再調整処理の終了）が指示されると（ＡＣＴ５３、ＹＥＳ）、プロセッサ５０は、一連の再調整処理を終了する。また、操作パネル４において確認印刷が指示されると（ＡＣＴ５３、ＮＯ）、プロセッサ５０は、プリンタ３を用いて確認印刷を実行する（ＡＣＴ５４）。例えば、プロセッサ５０は、プリンタ３において補正後の設定値を用いて調整パターンをプリンタ３内のカセット２１から給紙する用紙に印刷する。ここで、確認印刷として用紙に印刷する調整パターンは、図６に示す第１の調整パターンであっても良いし、図７に示す第２の調整パターンであって良い。
【００９４】
確認印刷を実行すると、プロセッサ５０は、確認印刷として調整パターンを用紙に印刷した印刷結果の確認する旨の案内をディスプレイ４１に表示する（ＡＣＴ５５）。  
図１６は、確認印刷（印刷結果）の確認を促す案内画面の表示例を示す図である。  
図１６に示す表示例では、ディスプレイ４１は、メッセージ１６１、「ＯＫ」アイコン１６２、「やり直し」アイコン１６３および「手動調整」アイコン１６４を表示する。メッセージ１６１は、印刷結果を確認して下さいとのメッセージと手動調整の選択が可能である旨の案内とを含む。また、図１６に示す表示例において、ディスプレイ４１は、タッチパネル４２で選択可能なボタンとして、「ＯＫ」アイコン１６２と「やり直し」アイコン１６３と「手動調整」アイコン１６４とを表示する。
【００９５】
「ＯＫ」アイコン１６２は、再調整処理の終了を指示するアイコンである。「やり直し」アイコン１６３は、再調整処理のやり直しを指示するアイコンである。「手動調整」アイコン１６４は、オペレータが調整値を直接指定する手動調整を指示するアイコンである。オペレータは、確認印刷の結果が満足するものである場合、図１６に示す表示画面において「ＯＫ」アイコン１６２を指示することで一連の再調整処理の終了を指示できる。また、図１６に示す表示画面において、オペレータは、「やり直し」アイコン１６３を指示することで再調整処理のやり直しを指示できる。また、図１６に示す表示画面において、オペレータは、「手動調整」アイコン１６４を指示することで調整値を直接指定する手動調整を指示できる。
【００９６】
再調整処理のやり直し（例えば、図１６に示す「やり直し」アイコン１６３）が指示されると（ＡＣＴ５６、ＹＥＳ）、プロセッサ５０は、ＡＣＴ４１へ戻り、上述した再調整処理を再度実行する。また、再調整処理の終了（例えば、図１６に示す「ＯＫ」アイコン１６２）が指示されると（ＡＣＴ５７、ＹＥＳ）、プロセッサ５０は、一連の再調整処理を終了する。
【００９７】
また、手動調整（例えば、図１６に示す「手動調整」アイコン１６５）が指示されると（ＡＣＴ５８、ＹＥＳ）、プロセッサ５０は、オペレータが調整値を指定する手動調整を実行する（ＡＣＴ５９−６４）。ここでは、確認印刷を実行した後に手動調整が指示された場合について説明する。確認印刷を実行した後に手動調整が指示されると、プロセッサ５０は、確認印刷を読み取るために確認印刷した用紙をスキャナ２でスキャンする旨の案内をディスプレイ４１に表示する（ＡＣＴ５９）。
【００９８】
図１７は、スキャナ２を用いて確認印刷した用紙をスキャンする旨を案内する案内画面の表示例である。図１７に示す表示例では、スキャナ２で確認印刷した用紙をスキャンする旨のメッセージ１７１と確認印刷した用紙を原稿台ガラス１１に置いた状態を示すイラスト１７２とが表示される。ただし、プロセッサ５０は、図１１〜図１３と同様な操作ガイダンスを順次表示することにより確認印刷した用紙をスキャンするための操作（作業）を案内するようにして良い。
【００９９】
確認印刷した用紙のスキャンの案内を表示した後、プロセッサ５０は、スキャン開始の指示に応じてスキャナ２により原稿台ガラス１１上をスキャンする（ＡＣＴ６０）。スキャナ２は、プロセッサ５０からの指示に応じて原稿台ガラス１１上をスキャンし、スキャンした画像をシステム制御部５へ供給する。なお、手動調整において確認印刷の結果を参照しない場合、確認印刷した用紙のスキャンは省略して良い。この場合、ＡＣＴ５９及び６０の処理は省略される。
【０１００】
プロセッサ５０は、スキャナ２から確認印刷した用紙のスキャン画像を取得すると、調整値の入力画面をディスプレイ４１に表示する（ＡＣＴ６１）。手動調整としての調整値の入力画面を表示した状態において、プロセッサ５０は、調整値の入力を受付ける（ＡＣＴ６２）。プロセッサ５０は、オペレータが用紙における印刷範囲を指定するための調整値を入力するための入力画面をディスプレイ４１に表示する。
【０１０１】
図１８は、手動調整における調整値の入力画面の表示例を示す図である。  
図１８に示す表示例では、ディスプレイ４１は、スキャン画像１８１、入力欄１８２、「ＯＫ」アイコン１８３および「キャンセル」アイコン１８４を表示する。スキャン画像１８１は、確認印刷した用紙をスキャナ２がスキャンした画像である。調整値の入力画面では、スキャン画像１８１上における印刷範囲を示す情報が表示される。図１８に示す表示例において、確認印刷した用紙のスキャン画像１８１には、印刷範囲を示す点線１８１ａが重ねて表示される。
【０１０２】
また、入力欄１８２としては、用紙の上下左右における余白（用紙の各端部からの印刷範囲までの距離）を指定するための４つの入力欄１８２ａ、１８２ｂ、１８２ｃ、１８２ｄを表示する。入力欄（上側の入力欄）１８２ａは、用紙の先端から印刷範囲の先端Ｔｏｐまでの距離（上側の余白量）を入力するための入力欄である。入力欄（左側の入力欄）１８２ｂは、用紙の左端から印刷範囲の左端Ｌｅｆｔまでの距離（左側の余白量）を入力するための入力欄である。入力欄（右側の入力欄）１８２ｃは、用紙の右端から印刷範囲の右端Ｒｉｇｈｔまでの距離（右側の余白量）を入力するための入力欄である。入力欄（下側の入力欄）１８２ｄは、用紙の後端から印刷範囲の左端Ｌｅｆｔまでの距離（後端の余白量）を入力するための入力欄である。
【０１０３】
各入力欄１８２に入力された調整値は、点線１８１ａが示す印刷範囲を指定する情報である。プロセッサ５０は、各入力欄１８２に入力された調整値に応じてスキャン画像１８１上に点線１８１ａで表示する印刷範囲を随時更新する。また、各入力欄１８は、初期値として用紙のサイズから判定した各領域の余白量の示す情報が表示されるようにしても良い。この場合、オペレータは、用紙のサイズが判定された余白に対して調整値を入力することができる。
【０１０４】
また、図１８に示す表示例において、ディスプレイ４１は、タッチパネル４２で選択可能なボタンとして、「ＯＫ」アイコン１８３と「キャンセル」アイコン１８４とを表示する。「ＯＫ」アイコン１８３は、入力した調整値での補正（調整値の入力終了）を指示するボタンである。「キャンセル」アイコン１８４は、手動調整の中止を指示するボタンである。
【０１０５】
調整値での補正（調整値の入力終了）が指示された場合（ＡＣＴ６３、ＹＥＳ）、プロセッサ５０は、各入力欄１８２に入力した調整値による設定値の補正を実行し（ＡＣＴ６４）、一連の処理を終了する。また、手動調整のキャンセルが指示された場合（ＡＣＴ６３、ＮＯ）、プロセッサ５０は、一連の再調整処理を終了する。  
上述した再調整処理によって、デジタル複合機１における画像調整による設定値がユーザの操作によって再調整される。この結果、デジタル複合機は、ユーザが実際に使用する用紙あるいはユーザの好みに応じて画像調整による設定値を調整できる。
【０１０６】
以上のように、本実施形態に係るデジタル複合機は、メモリが記憶する画像調整の設定値に対する再調整をユーザの操作に応じて受付ける。デジタル複合機は、再調整を実行する場合、スキャナを用いて再調整用の用紙のサイズを取得するための操作ガイダンスをディスプレイに表示する。デジタル複合機は、操作ガイダンスとして表示する操作に応じてスキャナが読取る画像から再調整用の用紙のサイズを取得し、再調整用の用紙のサイズに基づいてメモリが記憶する設定値を補正する。
【０１０７】
これにより、実施形態に係るデジタル複合機は、製造工程での画像調整による設定値あるいは所定の初期設定値に基づいて補正された設定値をユーザの操作で実際にセットされる用紙のサイズに応じて補正することができる。また、本実施形態のデジタル複合機は、設定値の再調整を実行する場合のユーザが実行すべき操作内容を操作ガイダンスとして表示することにより、一般のユーザであっても分かりやすい操作を支援できる。
【０１０８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０９】
２…スキャナ、３…プリンタ、４…操作パネル、５…システム制御部、４１…ディスプレイ、５０…プロセッサ、５１…メモリ、５１ａ…第１記憶領域、５１ｂ…第２記憶領域。
【図１】
2020012887.tif 000003
【図２】
2020012887.tif 000004
【図３】
2020012887.tif 000005
【図４】
2020012887.tif 000006
【図５】
2020012887.tif 000007
【図６】
2020012887.tif 000008
【図７】
2020012887.tif 000009
【図８】
2020012887.tif 000010
【図９】
2020012887.tif 000011
【図１０】
2020012887.tif 000012
【図１１】
2020012887.tif 000013
【図１２】
2020012887.tif 000014
【図１３】
2020012887.tif 000015
【図１４】
2020012887.tif 000016
【図１５】
2020012887.tif 000017
【図１６】
2020012887.tif 000018
【図１７】
2020012887.tif 000019
【図１８】
2020012887.tif 000020